(57)【要約】  ワイヤレス通信における再利用を増加させるためのシステム、方法、および装置が開示される。一態様では、第２の局と通信するための第１の局のための識別された送信機会を示すメッセージを第１の局に送信する、ワイヤレス通信の方法が提供される。本方法は、ビームフォーミングされたワイヤレス通信を利用する第３の局への第１のワイヤレス通信信号が、第１の局と第２の局の一方または両方においてしきい値を下回る受信信号レベルを有するように、少なくとも第３の局に第１のワイヤレス通信信号を送信することをさらに備える。識別された送信機会は、第１の局と第２の局との間の第２のワイヤレス通信信号の送信が、利用されるビームフォーミングされた通信と少なくとも部分的に同時である時間期間にわたって行われるかどうかに基づく。【選択図】  図１１
2016535525.tif 000002
【特許請求の範囲】
【請求項１】
ワイヤレス通信の方法であって、
第２の局と通信するための第１の局のための識別された送信機会を示すメッセージを前記第１の局に送信することと、
ビームフォーミングされたワイヤレス通信を利用する第３の局への第１のワイヤレス通信信号が、前記第１の局と前記第２の局の一方または両方においてしきい値を下回る受信信号レベルを有するように、少なくとも前記第３の局に前記第１のワイヤレス通信信号を送信することと
を備え、
ここにおいて、前記識別された送信機会は、前記第１の局と前記第２の局との間の第２のワイヤレス通信信号の送信が、前記利用されるビームフォーミングされた通信と少なくとも部分的に同時である時間期間にわたって行われるかどうかに基づく、方法。
【請求項２】
前記第１のワイヤレス通信信号を送信することが物理レイヤデータユニット（ＰＰＤＵ）の送信を備える、請求項１に記載の方法。
【請求項３】
前記メッセージが、前記少なくとも第３の局のために割り振られたデータストリームの数を示すフィールドを含み、前記識別された送信機会は、前記第１および第２の局が０個のデータストリームを割り振られたかどうかにさらに基づく、請求項２に記載の方法。
【請求項４】
前記ＰＰＤＵが、前記ＰＰＤＵの予定受信側であるとして前記第１および第２の局を除外するグループ識別子フィールドを備える、請求項２に記載の方法。
【請求項５】
前記識別された送信機会は、前記第１および第２の局が前記ＰＰＤＵの前記グループ識別子フィールドから除外されるかどうかにさらに基づき、前記第１の局と前記第２の局の一方または両方における前記第１のワイヤレス通信信号の受信信号レベルが前記しきい値を下回るかどうかに基づく、請求項４に記載の方法。
【請求項６】
前記メッセージが、
前記第１および第２の局のアドレス情報と、
前記第１および第２の局によって使用されるべき１つまたは複数のアンテナを示すアンテナ情報と、
許容通信のための持続時間を示す時間情報と、
最大送信電力を示す送信情報と
のうちの１つまたは複数を備える、請求項１に記載の方法。
【請求項７】
前記メッセージは、前記第２のワイヤレス通信信号の前記送信が、前記第１のワイヤレス通信の前記送信の終了同時にまたはその前に終了することを示す、請求項１に記載の方法。
【請求項８】
前記第１のワイヤレス通信信号の前記送信中に、前記第１のワイヤレス通信信号を送信するデバイスの肯定応答ポリシーを前記第３のデバイスに関する非肯定応答ポリシーに設定することをさらに備える、請求項１に記載の方法。
【請求項９】
前記メッセージが、前記第１のワイヤレス通信信号の前記送信の前に送信されたフレームを備え、前記フレームが、前記第２の局と通信するための前記第１の局のための前記識別された送信機会を示す、請求項１に記載の方法。
【請求項１０】
前記メッセージが前記ＰＰＤＵの物理レイヤ（ＰＨＹ）のオムニ部分中で送信される、請求項２に記載の方法。
【請求項１１】
前記第１の局と前記第２の局の一方または両方からの送信を検出することと、
前記検出された送信に基づいてチャネル状態情報を推定することと、ここにおいて、前記送信機会が前記チャネル状態情報に基づく、
をさらに備える、請求項１に記載の方法。
【請求項１２】
前記第１のワイヤレス通信信号を送信するより前に前記第３の局に第３のワイヤレス通信信号を送信することと、
前記第３の局から、前記第３の局が前記第１のワイヤレス通信信号を受信し得ることを示す応答信号を受信することと、前記応答信号が経路損失情報を与え、ここにおいて、前記送信機会が前記経路損失情報に基づく、
をさらに備える、請求項１に記載の方法。
【請求項１３】
ワイヤレス通信のための装置であって、
第２の局と通信するための第１の局のための識別された送信機会を示すメッセージを前記第１の局に送信するように構成された送信機を備え、前記送信機は、ビームフォーミングされたワイヤレス通信を利用する第３の局への第１のワイヤレス通信信号が、前記第１の局と前記第２の局の一方または両方においてしきい値を下回る受信信号レベルを有するように、少なくとも前記第３の局に前記第１のワイヤレス通信信号を送信するようにさらに構成され、
ここにおいて、前記識別された送信機会は、前記第１の局と前記第２の局との間の第２のワイヤレス通信信号の送信が、前記利用されるビームフォーミングされた通信と少なくとも部分的に同時である時間期間にわたって行われるかどうかに基づく、装置。
【請求項１４】
前記第１のワイヤレス通信信号が物理レイヤデータユニット（ＰＰＤＵ）を備える、請求項１３に記載の装置。
【請求項１５】
前記メッセージが、前記少なくとも第３の局のために割り振られたデータストリームの数を示すフィールドを含み、前記識別された送信機会は、前記第１および第２の局が０個のデータストリームを割り振られたかどうかにさらに基づく、請求項１４に記載の装置。
【請求項１６】
前記ＰＰＤＵが、前記ＰＰＤＵの予定受信側であるとして前記第１および第２の局を除外するグループ識別子フィールドを備える、請求項１４に記載の装置。
【請求項１７】
前記識別された送信機会は、前記第１および第２の局が前記ＰＰＤＵの前記グループ識別子フィールドから除外されるかどうかにさらに基づき、前記第１の局と前記第２の局の一方または両方における前記第１のワイヤレス通信信号の受信信号レベルが前記しきい値を下回るかどうかに基づく、請求項１６に記載の装置。
【請求項１８】
前記メッセージが、
前記第１および第２の局のアドレス情報と、
前記第１および第２の局によって使用されるべき１つまたは複数のアンテナを示すアンテナ情報と、
許容通信のための持続時間を示す時間情報と、
最大送信電力を示す送信情報と
のうちの１つまたは複数を備える、請求項１３に記載の装置。
【請求項１９】
前記メッセージは、前記第２のワイヤレス通信信号の前記送信が、前記第１のワイヤレス通信の前記送信の終了同時にまたはその前に終了することを示す、請求項１３に記載の装置。
【請求項２０】
前記第１のワイヤレス通信信号の前記送信中に、前記第１のを送信するデバイスの肯定応答ポリシーを前記第３のデバイスに関する非肯定応答ポリシーに設定するように構成されたプロセッサをさらに備える、請求項１３に記載の装置。
【請求項２１】
前記メッセージが、前記第１のワイヤレス通信信号の前に送信されたフレームを備え、前記フレームが、前記第２の局と通信するための前記第１の局のための前記識別された送信機会を示す、請求項１３に記載の装置。
【請求項２２】
前記メッセージが前記ＰＰＤＵの物理レイヤ（ＰＨＹ）のオムニ部分中で送信される、請求項１４に記載の装置。
【請求項２３】
前記第１の局と前記第２の局の一方または両方からの送信を検出することと、
前記検出された送信に基づいてチャネル状態情報を推定することと、ここにおいて、前記送信機会が前記チャネル状態情報に基づく、
を行うように構成された受信機をさらに備える、請求項１３に記載の装置。
【請求項２４】
前記送信機が、前記第１のワイヤレス通信信号を送信するより前に前記第３の局に第３のワイヤレス通信信号を送信するようにさらに構成され、前記受信機は、前記第３の局から、前記第３の局が前記第１のワイヤレス通信信号を受信し得ることを示す応答信号を受信するようにさらに構成され、前記応答信号が経路損失情報を与え、ここにおいて、前記送信機会が前記経路損失情報に基づく、請求項１３に記載の装置。
【請求項２５】
ワイヤレス通信のための装置であって、
第２の局と通信するための第１の局のための識別された送信機会を示すメッセージを前記第１の局に送信するための手段と、
ビームフォーミングされたワイヤレス通信を利用する第３の局への第１のワイヤレス通信信号が、前記第１の局と前記第２の局の一方または両方においてしきい値を下回る受信信号レベルを有するように、少なくとも前記第３の局に前記第１のワイヤレス通信信号を送信するための手段と
を備え、
ここにおいて、前記識別された送信機会は、前記第１の局と前記第２の局との間の第２のワイヤレス通信信号の送信が、前記利用されるビームフォーミングされた通信と少なくとも部分的に同時である時間期間にわたって行われるかどうかに基づく、装置。
【請求項２６】
前記メッセージが、前記少なくとも第３の局のために割り振られたデータストリームの数を示すフィールドを含み、前記識別された送信機会は、前記第１および第２の局が０個のデータストリームを割り振られたかどうかにさらに基づく、請求項２５に記載の装置。
【請求項２７】
前記第１の局と前記第２の局の一方または両方からの送信のための手段と、
前記検出された送信に基づいてチャネル状態情報を推定するための手段と、ここにおいて、前記送信機会が前記チャネル状態情報に基づく、
をさらに備える、請求項２５に記載の装置。
【請求項２８】
前記第１のワイヤレス通信信号を送信するより前に前記第３の局に第３のワイヤレス通信信号を送信するための手段と、
前記第３の局から、前記第３の局が前記第１のワイヤレス通信信号を受信し得ることを示す応答信号を受信するための手段と、前記応答信号が経路損失情報を与え、ここにおいて、前記送信機会が前記経路損失情報に基づく、
をさらに備える、請求項２５に記載の装置。
【請求項２９】
実行されたとき、プロセッサに、
第２の局と通信するための第１の局のための識別された送信機会を示すメッセージを前記第１の局に送信することと、
ビームフォーミングされたワイヤレス通信を利用する第３の局への第１のワイヤレス通信信号が、前記第１の局と前記第２の局の一方または両方においてしきい値を下回る受信信号レベルを有するように、少なくとも前記第３の局に前記第１のワイヤレス通信信号を送信することと
を行う方法を実行させる命令を備え、
ここにおいて、前記識別された送信機会は、前記第１の局と前記第２の局との間の第２のワイヤレス通信信号の送信が、前記利用されるビームフォーミングされた通信と少なくとも部分的に同時である時間期間にわたって行われるかどうかに基づく、非一時的コンピュータ可読媒体。
【請求項３０】
実行されたとき、プロセッサに、
前記第１の局と前記第２の局の一方または両方からの送信を検出することと、
前記検出された送信に基づいてチャネル状態情報を推定することと、ここにおいて、前記送信機会が前記チャネル状態情報に基づく、
を行う方法を実行させる命令をさらに備える、請求項２９に記載の媒体。
【発明の詳細な説明】
【技術分野】
【０００１】
[0001]本出願は、一般にワイヤレス通信に関し、より詳細には、ワイヤレス通信における再利用を増加させるためのシステム、方法、およびデバイスに関する。
【背景技術】
【０００２】
[0002]多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る、地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）として指定されるであろう。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００３】
[0003]ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域内の電磁波を使用する非誘導伝搬モードでは、無形物理媒体を採用する。ワイヤレスネットワークは、有利には、固定ワイヤードネットワークと比較して、ユーザモビリティと迅速なフィールド展開とを可能にする。
【０００４】
[0004]しかしながら、同じ建築物中、近くの建築物中、および／または同じ屋外エリア中に複数のワイヤレスネットワークが存在し得る。複数のワイヤレスネットワークの普及は、（たとえば、各ワイヤレスネットワークが同じエリアおよび／またはスペクトル中で動作しているので）干渉、低減されたスループットを引き起こし、および／またはいくつかのデバイスが通信するのを防ぎ得る。したがって、ワイヤレスネットワークの密度が高いときに通信するための改善されたシステム、方法、およびデバイスが望まれる。
【発明の概要】
【０００５】
[0005]添付の特許請求の範囲内のシステム、方法およびデバイスの様々な実装形態は、それぞれいくつかの態様を有し、それらのうちの単一の態様が、単独で、本明細書で説明する望ましい属性を担当するとは限らない。添付の特許請求の範囲を限定することなしに、いくつかの顕著な特徴について本明細書で説明する。
【０００６】
[0006]本明細書で説明する主題の１つまたは複数の実装形態の詳細は、添付の図面および以下の説明に示されている。他の特徴、態様、および利点は、説明、図面、および特許請求の範囲から明らかになるであろう。以下の図の相対寸法は一定の縮尺で描かれていないことがあることに留意されたい。
【０００７】
[0007]本開示で説明する主題の一態様は、ワイヤレス通信のための方法を提供する。本方法は、第２の局と通信するための第１の局のための識別された送信機会（transmission opportunity）を示すメッセージを第１の局に送信することを備える。本方法は、ビームフォーミングされたワイヤレス通信を利用する第３の局への第１のワイヤレス通信信号が、第１の局と第２の局の一方または両方においてしきい値を下回る受信信号レベルを有するように、少なくとも第３の局に第１のワイヤレス通信信号を送信することをさらに備える。識別された送信機会は、第１の局と第２の局との間の第２のワイヤレス通信信号の送信が、利用されるビームフォーミングされた通信と少なくとも部分的に同時（concurrent）である時間期間にわたって行われるかどうかに基づく。
【０００８】
[0008]本開示で説明する主題の別の態様は、ワイヤレス通信のための装置を提供する。本装置は、第２の局と通信するための第１の局のための識別された送信機会を示すメッセージを第１の局に送信するように構成された送信機を備え、送信機は、ビームフォーミングされたワイヤレス通信を利用する第３の局への第１のワイヤレス通信信号が、第１の局と第２の局の一方または両方においてしきい値を下回る受信信号レベルを有するように、少なくとも第３の局に第１のワイヤレス通信信号を送信するようにさらに構成される。識別された送信機会は、第１の局と第２の局との間の第２のワイヤレス通信信号の送信が、利用されるビームフォーミングされた通信と少なくとも部分的に同時である時間期間にわたって行われるかどうかに基づく。
【０００９】
[0009]本開示で説明する主題の別の態様は、ワイヤレス通信のための装置を提供する。本装置は、第２の局と通信するための第１の局のための識別された送信機会を示すメッセージを第１の局に送信するための手段を備える。本装置は、ビームフォーミングされたワイヤレス通信を利用する第３の局への第１のワイヤレス通信信号が、第１の局と第２の局の一方または両方においてしきい値を下回る受信信号レベルを有するように、少なくとも第３の局に第１のワイヤレス通信信号を送信するための手段をさらに備える。識別された送信機会は、第１の局と第２の局との間の第２のワイヤレス通信信号の送信が、利用されるビームフォーミングされた通信と少なくとも部分的に同時である時間期間にわたって行われるかどうかに基づく。
【図面の簡単な説明】
【００１０】
【図１】[0010]本開示の態様が採用され得るワイヤレス通信システムの一例を示す図。
【図２Ａ】[0011]複数のワイヤレス通信ネットワークが存在するワイヤレス通信システムを示す図。
【図２Ｂ】[0012]複数のワイヤレスデバイスが存在するワイヤレス通信システムにおける送信の一例を示す図。
【図３】[0013]ワイヤレス通信システム内で採用され得るワイヤレスデバイス中で利用され得る様々な構成要素を示す図。
【図４】[0014]チャネル状態情報（ＣＳＩ：channel state information）シーケンスの例示的な一実施形態を示す図。
【図５】[0015]ＣＳＩシーケンスの別の例示的な実施形態を示す図。
【図６】[0016]複数のワイヤレスデバイスが存在するワイヤレス通信システムにおける送信の別の例を示す図。
【図７】[0017]物理レイヤデータユニット（ＰＰＤＵ：physical layer data unit）の例示的な構造を示す図。
【図８】[0018]ＰＰＤＵの別の例示的な構造を示す図。
【図９】[0019]ＣＳＩシーケンスの別の例示的な実施形態を示す図。
【図１０】[0020]複数のワイヤレスデバイスが存在するワイヤレス通信システムにおける送信の別の例を示す図。
【図１１】[0021]ＣＳＩシーケンスの別の例示的な実施形態を示す図。
【図１２】[0022]ＣＳＩシーケンスの別の例示的な実施形態を示す図。
【図１３】[0023]本明細書で説明するいくつかの実施形態による、ワイヤレス通信の例示的な方法のフローチャート。
【発明を実施するための形態】
【００１１】
[0024]図面に示す様々な特徴は一定の縮尺で描かれていないことがある。したがって、様々な特徴の寸法は、明快のために恣意的に拡大または縮小されていることがある。さらに、図面のいくつかは、所与のシステム、方法またはデバイスの構成要素のすべてを示しているとは限らない。最後に、本明細書および図の全体にわたって、同様の特徴を示すために同様の参照番号が使用され得る。
【００１２】
[0025]添付の図面を参照しながら、新規のシステム、装置、および方法の様々な態様について以下でより十分に説明する。ただし、本開示教示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるように与えるものである。本明細書の教示に基づいて、本開示の範囲は、本発明の他の態様とは無関係に実装されるにせよ、本発明の他の態様と組み合わされるにせよ、本明細書で開示する新規のシステム、装置、および方法のいかなる態様をもカバーするものであることを、当業者なら諒解されたい。たとえば、本明細書に記載の態様をいくつ使用しても、装置は実装され得、または方法は実施され得る。さらに、本発明の範囲は、本明細書に記載の本発明の様々な態様に加えてまたはそれらの態様以外に、他の構造、機能、または構造および機能を使用して実施されるそのような装置または方法をカバーするものとする。本明細書で開示する任意の態様が請求項の１つまたは複数の要素によって実施され得ることを理解されたい。
【００１３】
[0026]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図および好適な態様についての以下の説明において示す。発明を実施するための形態および図面は、本開示を限定するものではなく説明するものにすぎず、本開示の範囲は添付の特許請求の範囲およびそれの均等物によって定義される。
【００１４】
[0027]ワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを互いに相互接続するために使用され得る。本明細書で説明する様々な態様は、ＷｉＦｉ（登録商標）、またはより一般的には、ワイヤレスプロトコルのＩＥＥＥ８０２．１１ファミリーの任意のメンバーなど、任意の通信規格に適用され得る。
【００１５】
[0028]いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）と（局または「ＳＴＡ」とも呼ばれる）クライアントとがあり得る。概して、ＡＰはＷＬＡＮのためのハブまたは基地局として働き、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットへの、または他のワイドエリアネットワークへの一般的な接続性を取得するために、ＷｉＦｉ（たとえば、ＩＥＥＥ８０２．１１プロトコル）準拠ワイヤレスリンクを介してＡＰに接続する。いくつかの実装形態では、ＳＴＡはＡＰとして使用されることもある。
【００１６】
[0029]本明細書で説明する技法は、直交多重化方式に基づく通信システムを含む、様々なブロードバンドワイヤレス通信システムに使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用し得る。ＴＤＭＡシステムは、送信信号を異なるタイムスロットに分割することによって、複数のユーザ端末が同じ周波数チャネルを共有することを可能にし得、各タイムスロットは異なるユーザ端末に割り当てられる。ＴＤＭＡシステムは、ＧＳＭ（登録商標）または当技術分野で知られている何らかの他の規格を実装し得る。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアは独立してデータで変調され得る。ＯＦＤＭシステムは、ＩＥＥＥ８０２．１１または当技術分野で知られている何らかの他の規格を実装し得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。ＳＣ−ＦＤＭＡシステムは、３ＧＰＰ（登録商標）−ＬＴＥ（登録商標）（第３世代パートナーシッププロジェクトロングタームエボリューション（3rd Generation Partnership Project Long Term Evolution））または他の規格を実装し得る。
【００１７】
[0030]本明細書の教示は、様々なワイヤードまたはワイヤレス装置（たとえば、ノード）に組み込まれ得る（たとえば、その装置内に実装されるか、またはその装置によって実行され得る）。いくつかの態様では、本明細書の教示に従って実装されるワイヤレスノードはアクセスポイントまたはアクセス端末を備え得る。
【００１８】
[0031]アクセスポイント（「ＡＰ」）は、ノードＢ、無線ネットワークコントローラ（「ＲＮＣ」）、ｅノードＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００１９】
[0032]また、局「ＳＴＡ」は、アクセス端末（「ＡＴ」）、加入者局、加入者ユニット、移動局、リモート局、リモート端末、ユーザ端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された何らかの他の好適な処理デバイスを備え得る。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００２０】
[0033]図１は、本開示の態様が採用され得る例示的なワイヤレス通信システム１００の図である。ワイヤレス通信システム１００は、ワイヤレス規格、たとえば、高効率８０２．１１規格に従って動作し得る。ワイヤレス通信システム１００は、（概してＳＴＡ１０６Ａ〜１０６Ｄを指す）ＳＴＡ１０６と通信するＡＰ１０４を含み得る。
【００２１】
[0034]様々なプロセスおよび方法は、ＡＰ１０４とＳＴＡ１０６との間の、ワイヤレス通信システム１００における送信のために使用され得る。たとえば、信号は、ＯＦＤＭ／ＯＦＤＭＡ技法に従って、ＡＰ１０４とＳＴＡ１０６との間で送信および受信され得る。そうである場合、ワイヤレス通信システム１００はＯＦＤＭ／ＯＦＤＭＡシステムと呼ばれることがある。代替的に、信号は、符号分割多元接続（ＣＤＭＡ）技法に従ってＡＰ１０４とＳＴＡ１０６との間で送信および受信され得る。そうである場合、ワイヤレス通信システム１００はＣＤＭＡシステムと呼ばれることがある。
【００２２】
[0035]ＡＰ１０４からＳＴＡ１０６のうちの１つまたは複数への送信を可能にする通信リンクはダウンリンク（ＤＬ）１０８と呼ばれることがあり、ＳＴＡ１０６のうちの１つまたは複数からＡＰ１０４への送信を可能にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。この通信リンクは、単入力単出力（ＳＩＳＯ）、多入力単出力（ＭＩＳＯ）、単入力多出力（ＳＩＭＯ）、または多入力多出力（ＭＩＭＯ）システムを介して確立され得る。
【００２３】
[0036]ＡＰ１０４は、基地局として働き、基本サービスエリア（ＢＳＡ）１０２においてワイヤレス通信カバレージを与え得る。ＡＰ１０４は、ＡＰ１０４に関連し、通信のためにＡＰ１０４を使用するＳＴＡ１０６とともに、基本サービスセット（ＢＳＳ）と呼ばれることがある。ワイヤレス通信システム１００は、中央ＡＰ１０４を有しないことがあり、むしろ、ＳＴＡ１０６間のピアツーピアネットワーク（たとえばＴＤＬＳ、ＷｉＦｉ  Ｄｉｒｅｃｔ（登録商標））として機能し得ることに留意されたい。したがって、本明細書で説明するＡＰ１０４の機能は、ＳＴＡ１０６のうちの１つまたは複数によって代替的に実行され得る。
【００２４】
[0037]いくつかの態様では、ＳＴＡ１０６は、ＡＰ１０４に通信を送るために、および／またはＡＰ１０４から通信を受信するために、ＡＰ１０４に関連することが必要であり得る。一態様では、関連するための情報が、ＡＰ１０４によるブロードキャスト中に含まれる。そのようなブロードキャストを受信するために、ＳＴＡ１０６は、たとえば、カバレージ領域にわたって広カバレージ探索を実行し得る。また、探索は、ＳＴＡ１０６が、たとえば、灯台方式でカバレージ領域をスイープすることによって実行され得る。関連するための情報を受信した後に、ＳＴＡ１０６は、関連付けプローブまたは要求などの基準信号をＡＰ１０４に送信し得る。いくつかの態様では、ＡＰ１０４は、たとえば、インターネットまたは公衆交換電話網（ＰＳＴＮ）などのより大きいネットワークと通信するために、バックホールサービスを使用し得る。
【００２５】
[0038]いくつかの状況では、ＢＳＡは他のＢＳＡの近くに配置され得る。たとえば、図２Ａは、複数のワイヤレス通信ネットワークが存在するワイヤレス通信システム２００の図である。図２Ａに示されているように、ＢＳＡ２０２Ａ、２０２Ｂ、および２０２Ｃは物理的に互いの近くに配置され得る。ＢＳＡ２０２Ａ〜２０２Ｃの極近接にもかかわらず、ＡＰ２０４Ａ〜２０４Ｃおよび／またはＳＴＡ２０６Ａ〜２０６Ｈはそれぞれ、同じスペクトルを使用して通信し得る。したがって、ＢＳＡ２０２Ｃ中のデバイス（たとえば、ＡＰ２０４Ｃ）がデータを送信している場合、ＢＳＡ２０２Ｃの外部のデバイス（たとえば、ＡＰ２０４Ａ〜２０４ＢまたはＳＴＡ２０６Ａ〜２０６Ｆ）は媒体上で通信を検知し得る。
【００２６】
[0039]概して、通常の８０２．１１プロトコル（たとえば、８０２．１１ａ、８０２．１１ｂ、８０２．１１ａｃ、８０２．１１ｇ、８０２．１１ｎなど）を使用するワイヤレスネットワークは、媒体アクセスのためのキャリア検知多重アクセス（ＣＳＭＡ：carrier sense multiple access）機構の下で動作する。ＣＳＭＡに従って、デバイスは、媒体を検知し、媒体がアイドルであると検知されたときにのみ送信する。したがって、ＡＰ２０４Ａ〜２０４Ｃおよび／またはＳＴＡ２０６Ａ〜２０６Ｈが、ＣＳＭＡ機構に従って動作しており、ＢＳＡ２０２Ｃ中のデバイス（たとえば、ＡＰ２０４Ｃ）がデータを送信している場合、ＢＳＡ２０２Ｃの外部のＡＰ２０４Ａ〜２０４Ｂおよび／またはＳＴＡ２０６Ａ〜２０６Ｆは、それらが異なるＢＳＡの一部であっても、媒体を介して送信しないことがある。
【００２７】
[0040]図２Ａは、そのような状況を示す。図２Ａに示されているように、ＡＰ２０４Ｃは媒体を介して送信している。送信は、ＡＰ２０４Ｃと同じＢＳＡ２０２Ｃ中にあるＳＴＡ２０６Ｇによって、およびＡＰ２０４Ｃとは異なるＢＳＡ中にあるＳＴＡ２０６Ａによって検知される。送信は、ＳＴＡ２０６Ｇおよび／またはＢＳＡ２０２Ｃ中のＳＴＡのみにアドレス指定され得るが、とはいえ、ＳＴＡ２０６Ａは、ＡＰ２０４Ｃ（および任意の他のデバイス）が媒体を介してもはや送信しなくなるまで、（たとえば、ＡＰ２０４Ａとの間で）通信を送信または受信することが可能でないことがある。図示されていないが、同じことが、（たとえば、他のＳＴＡが媒体上で送信を検知することができるように、ＡＰ２０４Ｃによる送信がより強い場合）ＢＳＡ２０２Ｂ中のＳＴＡ２０６Ｄ〜Ｆおよび／またはＢＳＡ２０２Ａ中のＳＴＡ２０６Ｂ〜Ｃにも適用され得る。
【００２８】
[0041]図２Ｂは、ＡＰ２０４Ａが、媒体を介してメッセージ２２０をＳＴＡ２０６Ｂに送信している状況の図である。送信は、同じＢＳＡ２０２Ａ中のＳＴＡ２０６ＣとＳＴＡ２０６Ｄとによって検知される。ＳＴＡ２０６ＣおよびＳＴＡ２０６Ｄは、ＡＰ２０４Ａ（および任意の他のデバイス）が媒体上でもはや送信しなくなるまで、（たとえば、ＡＰ２０４Ａとの間でまたは互いに）通信２３０を送信または受信することが可能でないことがある。
【００２９】
[0042]ＢＳＡの内部または外部に配置されたいくつかのＡＰまたはＳＴＡが、ＢＳＡ中のＡＰまたはＳＴＡによって行われた送信に干渉することなしにデータを送信することが可能であり得るので、ＣＳＭＡ機構の使用は非効率を生じ得る。アクティブワイヤレスデバイスの数が増加し続けるにつれて、非効率性は、ネットワークレイテンシとスループットとに著しく影響を及ぼし始め得る。たとえば、著しいネットワークレイテンシの問題は、各住戸がアクセスポイントと関連付けられた局とを含み得る、アパートにおいて現れることがある。事実上、居住者が、ワイヤレスルータ、ワイヤレスメディアセンター機能をもつビデオゲームコンソール、ワイヤレスメディアセンター機能をもつテレビジョン、パーソナルホットスポットのような働きをすることができる携帯電話などを所有し得るので、各住戸は複数のアクセスポイントを含み得る。その場合、レイテンシおよびスループットの問題と全体的なユーザの不満とを回避するために、ＣＳＭＡ機構の非効率を是正することが不可欠であり得る。
【００３０】
[0043]そのようなレイテンシおよびスループットの問題は住宅地域に限定されないこともある。たとえば、複数のアクセスポイントが、空港、地下鉄の駅、および／または他の人口密度の高い公共空間に配置され得る。現在、これらの公共空間ではＷｉＦｉアクセスが提供されていることがあるが、有料である。ＣＳＭＡ機構によって生じる非効率が是正されない場合、料金およびより低いサービス品質が利益を上回り始めるので、ワイヤレスネットワークの事業者は顧客を失うことがある。
【００３１】
[0044]したがって、本明細書で説明する高効率８０２．１１プロトコルは、これらの非効率を最小限に抑え、ネットワークスループットを増加させる修正された機構下で、デバイスが動作することを可能にし得る。そのような機構について、図５〜図１２に関して以下で説明する。高効率８０２．１１プロトコルの追加の態様について、図５〜図１２に関して以下で説明する。
【００３２】
[0045]図３は、ワイヤレス通信システム１００内で採用され得るワイヤレスデバイス３０２中で利用され得る様々な構成要素を示すブロック図である。ワイヤレスデバイス３０２は、本明細書で説明する様々な方法を実装するように構成され得るデバイスの一例である。ワイヤレスデバイス３０２はＡＰ１０４またはＳＴＡ１０６を実装し得る。
【００３３】
[0046]ワイヤレスデバイス３０２は、ワイヤレスデバイス３０２の動作を制御するプロセッサ３０４を含み得る。プロセッサ３０４は中央処理ユニット（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与える。メモリ３０６の一部分は不揮発性ランダムアクセスメモリ（ＮＶＲＡＭ）をも含み得る。プロセッサ３０４は、メモリ３０６内に記憶されたプログラム命令に基づいて論理演算および算術演算を実行し得る。メモリ３０６中の命令は、本明細書で説明する方法を実装するように実行可能であり得る。
【００３４】
[0047]プロセッサ３０４は、１つまたは複数のプロセッサとともに実装された処理システムを備えるか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を実行することができる任意の他の好適なエンティティの任意の組合せを用いて実装され得る。
【００３５】
[0048]処理システムは、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含み得る。命令は、１つまたは複数のプロセッサによって実行されたとき、本明細書で説明する様々な機能を処理システムに実行させる。
【００３６】
[0049]ワイヤレスデバイス３０２はまた、ワイヤレスデバイス３０２と遠隔ロケーションとの間のデータの送信および受信を可能にするために送信機３１０と受信機３１２とを含み得るハウジング３０８を含み得る。送信機３１０と受信機３１２とは組み合わせられてトランシーバ３１４になり得る。単一または複数のトランシーバアンテナ３１６が、ハウジング３０８に取り付けられ、トランシーバ３１４に電気的に結合され得る。ワイヤレスデバイス３０２はまた、複数の送信機と、複数の受信機と、複数のトランシーバとを含み得る（図示せず）。
【００３７】
[0050]ワイヤレスデバイス３０２はまた、トランシーバ３１４によって受信された信号のレベルを検出し、定量化するために使用され得る信号検出器３１８を含み得る。信号検出器３１８は、総エネルギー、シンボルごとのサブキャリア当たりのエネルギー、電力スペクトル密度および他の信号などの信号を検出し得る。ワイヤレスデバイス３０２はまた、信号を処理する際に使用するデジタル信号プロセッサ（ＤＳＰ）３２０を含み得る。
【００３８】
[0051]ワイヤレスデバイス３０２の様々な構成要素は、データバスに加えて、電力バスと、制御信号バスと、ステータス信号バスとを含み得る、バスシステム３２２によって互いに結合され得る。
【００３９】
[0052]図３には、いくつかの別個の構成要素が示されているが、構成要素のうちの１つまたは複数が組み合わされ得るかまたは共通に実装され得ることを当業者は認識されよう。たとえば、プロセッサ３０４は、プロセッサ３０４に関して上記で説明した機能を実装するためだけでなく、信号検出器３１８および／またはＤＳＰ３２０に関して上記で説明した機能を実装するためにも使用され得る。さらに、図３に示されている構成要素の各々は、複数の別個の要素を使用して実装され得る。
【００４０】
[0053]ワイヤレスデバイス３０２は、ＡＰ１０４、ＳＴＡ１０６、ＡＰ２０４、および／またはＳＴＡ２０６を備え得、通信を送信および／または受信するために使用され得る。すなわち、ＡＰ１０４、ＳＴＡ１０６、ＡＰ２０４、またはＳＴＡ２０６のいずれも、送信機デバイスまたは受信機デバイスとして働き得る。いくつかの態様は、信号検出器３１８が、送信機または受信機の存在を検出するために、メモリ３０６およびプロセッサ３０４上で動作しているソフトウェアによって使用されることを企図する。
【００４１】
[0054]いくつかの態様では、図１に示されたワイヤレスシステム１００はＩＥＥＥ８０２．１１ａｃワイヤレス通信規格に従って動作する。８０２．１１ａｃは、マルチユーザＭＩＭＯ（ＭＵ−ＭＩＭＯ）システムにおいて通信リンクを確立するためのプロトコルを与える。このシステムでは、ＡＰが、ＳＴＡからチャネル状態情報（ＣＳＩ）を収集する。図４は、ＳＴＡ２０６Ｂ〜ＤとＡＰ２０４Ａとの間でのメッセージの交換があるＣＳＩフィードバック（ＦＢ）シーケンス４００を示すシーケンス図である。この実施形態では、ＣＳＩ  ＦＢシーケンス４００は、ＡＰ２０４Ａで開始し、ヌルデータパケットアナウンスメントフレーム（ＮＤＰＡ：null data packet announcement）４０２を送り、次いで、ショートフレーム間スペース（ＳＩＦＳ：short interframe space）４０６後にヌルデータパケット（ＮＤＰ：null data packet）４０４を送り得る。ＮＤＰＡ４０２は、計算されたＣＳＩ  ＦＢ４０８をＡＰ２０４Ａに送るべきであるＳＴＡ２０６のＳＴＡ関連付け識別子（ＡＩＤ：association identifier）を含んでいる。ＮＤＰＡ４０２に記載されていないＳＴＡは、以下のＮＤＰ４０４を無視し、電力節約を可能にする。ＮＤＰＡ４０２中の最初に記載されたＳＴＡ（図示のようにＳＴＡ２０６Ｂ）は、次いで、ＮＤＰ４０４に続くＳＩＦＳ後にＣＳＩ  ＦＢ４０８を送る。一態様では、ＡＰ２０４Ａは、ＣＳＩポールメッセージ４１０を使用することによって、ＮＤＰＡ４０２のメッセージに記載されているＳＴＡ２０６のすべてをポーリングするものとする。次のＳＴＡ（図示のようにＳＴＡ２０６Ｃ）のためのＣＳＩポールメッセージ４１０Ａは、現在ＳＴＡ（図示のようにＳＴＡ２０６Ｂ）のＣＳＩ  ＦＢ４０８を受信してからＳＦＩＳ４０６時間後に送られるものとする。ＣＳＩ  ＦＢシーケンス４００は、次いで、ＮＤＰＡ４０２のメッセージに記載されているすべてのＳＴＡからのＣＳＩ  ＦＢ４０８を受信するまで続く。ＡＰ２０４Ａは、次いで、ＡＰ２０４Ａのアンテナ３１６によって送られたデータ４５０Ｂ〜ＤをプリコーディングするためにＳＴＡからのＣＳＩ  ＦＢ４０８を使用する。
【００４２】
[0055]図５は、少なくとも部分的に同時に複数の送信を送るためにＣＳＩ  ＦＢシーケンス５００を利用する一実施形態を示すシーケンス図である。この実施形態では、すべてのＳＴＡがＡＰ２０４Ａに関連し、すべてのＳＴＡ２０６およびＡＰ２０４Ａが複数のトランシーバアンテナ３１６を有する。ＡＰ２０４Ａは、上記で説明したように、ならびに図４および図５に示されているように、ＳＴＡ２０６からＣＳＩ  ＦＢ４０８を収集する。ＡＰ２０４Ａは、次いで、それが、データパケット４５０ＢをＳＴＡ２０６Ｂに送り、ＳＴＡ２０６ＣおよびＳＴＡ２０６Ｄにおける干渉４６０を実質的にヌル（null）するように、データをプリコーディングする。他の実施形態では、ＡＰ２０４Ａは、干渉をヌルするか、あるいは、他の通信チャネルを作成するために、他のＳＴＡ２０６に、またはＳＴＡ２０６ＣもしくはＳＴＡ２０６Ｄ上の他のアンテナ３１６にデータ信号を送り得る。ＡＰ２０４Ａが作成し得る有用なデータストリームの数は、それが有するアンテナ３１６の数によって制限される。
【００４３】
[0056] 図６は、図５の、上記で説明したアンテナ３１６の送信を示す図である。この実施形態では、ＡＰ２０４Ａが、媒体を介して、ビームフォーミングされたメッセージ６２０をＳＴＡ２０６Ｂに送信している。ＡＰ２０４Ａは、それがＳＴＡ２０６ＣにおけるまたはＳＴＡ２０６Ｄにおける干渉を実質的にヌルするように、ビームフォーミングされたメッセージ６２０を送信し得る。ＳＴＡ２０６ＣおよびＳＴＡ２０６Ｄの通信の受信機側において、それが、対象とする信号の受信を可能にするので、実質的に干渉が引き起こされないことが有益である。また、ＳＴＡ２０６ＣおよびＳＴＡ２０６Ｄの通信の送信側において、それが、ＡＰ２０４Ａの送信中に送信機がＡＰ２０４Ａに従うことを直接回避するので、実質的に干渉が引き起こされないことが有益である。いくつかの実施形態では、ＡＰ２０４は、ＳＴＡ２０６ＣまたはＳＴＡ２０６Ｄにおけるすべての干渉を完全にヌルすることが可能でないことがあるが、ビームフォーミングされたメッセージ６２０の送信は、ＳＴＡ２０６ＣまたはＳＴＡ２０６Ｄがメッセージを安全に送信または受信し得るように、しきい値を下回るＳＴＡ２０６ＣまたはＳＴＡ２０６Ｄにおける干渉または信号レベルを低減し得る。ＳＴＡ２０６ＣおよびＳＴＡ２０６Ｄが複数のアンテナ３１６を有する一実施形態では、ＡＰ２０４Ａは、ＳＴＡ２０６ＣおよびＳＴＡ２０６Ｄがそれらの通信のために使用する特定のアンテナ３１６における干渉を実質的にヌルし得る。
【００４４】
[0057]図６を参照すると、ＳＴＡ２０６の通信２３０の方向が知られているいくつかの実施形態では、ＡＰ２０４Ａは受信ＳＴＡ２０６（たとえば、ＳＴＡ２０６Ｄ）における干渉を実質的にヌルし得る。ＳＴＡ２０６ＣがＳＴＡ２０６Ｄに送信していることをＡＰ２０４Ａが知っている場合、ＡＰ２０４Ａは、送信の受信を可能にするためにＳＴＡ２０６Ｄにおける干渉のみを実質的にヌルし得る。
【００４５】
[0058]図５および図６に示し、上記で説明したＡＰ２０４Ａの送信は物理レイヤデータユニット（ＰＰＤＵ）の形態であり得る。図７は、ＡＰ２０４Ａによって送信され得るＰＰＤＵ７００のタイプの構造の図である。示されたＰＰＤＵ７００の３つの部分は、ＰＨＹ−Ｏｍｎｉ７１０、ＰＨＹビームフォーミング（ＰＨＹ−ＢＦ）７５０、およびデータビームフォーミング（Ｄａｔａ−ＢＦ）７６０部分である。ＰＨＹ−Ｏｍｎｉは、プリコーディングされず、したがって送信の範囲内のすべてのＳＴＡ２０６に送られるか、またはそれらによって受信される、ＰＰＤＵ７００のプリアンブルの一部分である。ＰＨＹ−Ｏｍｎｉ７１０部分は、ＰＰＤＵ７００のパケット全体の持続時間を示す持続時間フィールド７２０と、ＰＰＤＵ７００の予定受信側であり得るＳＴＡ２０６の１つまたは複数のグループを識別するグループ識別子（グループＩＤ）または部分関連付け識別子（ＡＩＤ）フィールド７２５と、グループ中の各ＳＴＡ２０６への通信のために割り振られたストリームの数を示すフィールド７３０と、他のＰＰＤＵ７００の情報のためのフィールド７３５とを含み得る。ＰＨＹ−ＢＦ７５０およびＤａｔａ−ＢＦ７６０は、プリコーディングされ、予定受信側のみに送られ、それらによって受信されるＰＰＤＵ７００のビームフォーミングされた部分である。図６に示された実施形態では、ＡＰ２０４Ａの送信のＰＨＹ−ＢＦ７５０およびＤａｔａ−ＢＦ７６０部分は、ＳＴＡ２０６Ｂに送られ、それによって受信され、ＳＴＡ２０６Ｃおよび２０６Ｄにおける干渉（または信号レベル）が実質的にヌルされるように送られる。
【００４６】
[0059]ＳＴＡ２０６ＣおよびＳＴＡ２０６Ｄが、依然として、ＰＰＤＵ７００のＰＨＹ−Ｏｍｎｉ７１０部分を受信し、復号し、ＰＰＤＵ７００の持続時間の間送信を延期することになるので、送信されたＰＰＤＵ７００のＰＨＹ−Ｏｍｎｉ７１０部分はＣＳＭＡ機構において非効率を生じ得る。しかしながら、ＡＰ２０４Ａは、いくつかの実施形態では、ＳＴＡ２０６ＣとＳＴＡ２０６Ｄとの間の送信を可能にし得る。
【００４７】
[0060]一実施形態では、ＡＰ２０４Ａによって送られるＰＰＤＵ７００はマルチユーザＰＰＤＵ（ＭＵ−ＰＰＤＵ）である。ＰＨＹ−Ｏｍｎｉ７１０部分は、ＳＴＡ２０６Ｂ、２０６Ｃ、および２０６Ｄが、ＰＰＤＵ７００の予定受信側であり得る同じグループ中にあることと、ＳＴＡ２０６ＣとＳＴＡ２０６Ｄとに割り振られたストリームの数が各々について０に設定されることとを示す。ＡＰ２０４Ａは、ＳＴＡ２０６が、それらに割り振られた０個のデータストリームを確認し、ＳＴＡ２０６における干渉または信号レベルが、送信のＰＨＹ−ＢＦ７５０およびＤａｔａ−ＢＦ７６０部分中にしきい値を下回るときはいつでも、ＳＴＡ２０６は、それら自体の通信を送信することを開始し得ることをＳＴＡ２０６に示す。この指示は、（たとえば、ビーコン中の）送信の前に、グループＩＤおよびストリームの数を関連付けるときに、あるいはグループＩＤおよびストリームの数の関連付けの後に送られる管理フレームまたは他の信号の形態であり得る。この実施形態では、複数のＳＴＡ２０６は、同じグループ中にあり、０個のデータストリームを割り振られ得る。しかしながら、干渉または信号レベルが実質的にヌルされるか、またはしきい値を下回って低減される、それらのＳＴＡ２０６のみ（たとえば、図６のＳＴＡ２０６ＣおよびＳＴＡ２０６Ｄ）が、ＡＰ２０４Ａの送信中に送信および／または受信することが可能である。
【００４８】
[0061]一実施形態では、ＡＰ２０４Ａによって送られるＰＰＤＵ７００はマルチユーザＰＰＤＵ（ＭＵ−ＰＰＤＵ）である。ＰＨＹ−Ｏｍｎｉ７１０部分は、ＳＴＡ２０６Ｂ、２０６Ｃ、および２０６Ｄが、ＰＰＤＵ７００の予定受信側であり得る同じグループ中にあることと、ＳＴＡ２０６ＣとＳＴＡ２０６Ｄとに割り振られたストリームの数が各々について０でない値であることとを示す。ストリームがＳＴＡ２０６ＣとＳＴＡ２０６Ｄとに割り振られることをＰＨＹ−Ｏｍｎｉ７１０部分が示すとしても、ＡＰ２０４Ａはそれらのストリーム上でエネルギーを送信しない、すなわち、それらはヌルを表す。この場合の利点は、どの空間ストリーム上で、すなわち、どのアンテナ上で、ＡＰ２０４Ａが干渉をヌリングしているかをＳＴＡ２０６ＣおよびＳＴＡ２０６Ｄが知っていることである。この場合のＰＨＹ−Ｏｍｎｉ７１０部分は、割り振られた空間ストリームが使用されないという各ＳＴＡ２０６ごとの指示を含み得る。
【００４９】
[0062]別の実施形態では、ＡＰ２０４Ａによって送られるＰＰＤＵ７００はシングルユーザＰＰＤＵまたはＭＵ−ＰＰＤＵであり得る。この実施形態では、ＰＰＤＵ７００のグループＩＤフィールド７２５は、ＳＴＡ２０６ＣおよびＳＴＡ２０６Ｄが予定受信側のグループ中にあることを示さない。ＡＰ２０４Ａは、ＳＴＡ２０６が予定受信側でないときはいつでも、ならびにＳＴＡ２０６における干渉または信号レベルが、実質的にヌルされるか、または送信のＰＨＹ−ＢＦ７５０およびＤａｔａ−ＢＦ７６０部分中にしきい値を下回って低減されるときはいつでも、ＳＴＡ２０６は、ＰＰＤＵ７００を無視し、それら自体の通信を送信することを開始し得ることをＳＴＡ２０６に示す。この指示は、（たとえば、ビーコン中の）送信の前に、グループＩＤおよびストリームの数を関連付けるときに、あるいはグループＩＤおよびストリームの数の関連付けの後に送られる管理フレームまたは他の信号の形態であり得る。この実施形態では、複数のＳＴＡ２０６は予定受信側のグループ中にないことがある。しかしながら、干渉または信号レベルが実質的にヌルされるか、またはしきい値を下回って低減される、それらのＳＴＡ２０６のみ（たとえば、図６のＳＴＡ２０６ＣおよびＳＴＡ２０６Ｄ）が、ＡＰ２０４Ａの送信中に送信および／または受信することが可能である。
【００５０】
[0063]ＡＰ２０４Ａはまた、いくつかのＳＴＡ２０６がＰＰＤＵ７００のＰＨＹ−ＢＦ７５０およびＤａｔａ−ＢＦ７６０中に送信することを可能にされることをそれらのＳＴＡ２０６に明示的に示すプリコーディングされないパケットでＰＰＤＵ７００のそれの送信を開始し得る。たとえば、ＡＰ２０４Ａは、ＳＴＡ２０６ＣおよびＳＴＡ２０６ＤがＡＰ２０４ＡのＰＰＤＵ７００の送信中に送信し得ることを示すパケットを、ＰＰＤＵ７００を送るより前にＳＴＡ２０６ＣとＳＴＡ２０６Ｄとに送り得る。一態様では、図９のシーケンス図に示されているように、パケットは、ＰＰＤＵ７００の送信によってヌルアウトされるべきであるＳＴＡ２０６ＣおよびＳＴＡ２０６Ｄならびにアンテナ３１６のアドレスを含み得、通信のために使用され得る、同時送信許容差（ＣＴＡ：concurrent transmission allowance）指示フレーム４９０である。ＡＰ２０４Ａは、この情報を収集するために、上記で説明し、図４および図５に示したのと同じＣＳＩ  ＦＢシーケンスを受ける。パケットはまた、送信が可能にされる時間フレームと、共存のために有用な他の送信パラメータ（たとえば、最大送信電力）とを含んでいることがある。一態様では、送信機（たとえば、ＳＴＡ２０６Ｃ）は、最初に、ＳＴＡ２０６Ｄに送信する前に干渉が存在しないか、または実質的に干渉が存在しないことを検査し得る。ＳＴＡ２０６Ｃは、最初に、送信可（ＣＴＳ：clear-to-send）をＳＴＡ２０６Ｄに送り得るか、または、それは、送信する前に媒体中の他の信号をリッスン（listen）し得る。別の態様では、送信機（たとえば、ＳＴＡ２０６Ｃ）は、媒体における干渉にかかわらず送信し得る。
【００５１】
[0064]図８は、ＡＰ２０４Ａによって送られるＰＰＤＵが、ＰＰＤＵのＰＨＹ−ＢＦ８５０およびＤａｔａ−ＢＦ８６０部分のみを含んでいるプリコーディングされたＳＵ−ＰＰＤＵ８００である一実施形態の図である。予定受信側以外のＳＴＡ２０６は、ＰＨＹ−Ｏｍｎｉ部分が存在しないので、ＰＰＤＵ８００のいかなる部分をも受信しない。たとえば、ＳＴＡ２０６ＣおよびＳＴＡ２０６Ｄは、ＡＰ２０４Ａの送信のいかなる部分をも受信せず、媒体がアイドルであるかのように媒体にアクセスすることができる。起こり得る干渉を回避するために、ＳＴＡ２０６Ｃは、実質的に干渉が生じないことを確認するために送信より前にパケットを送り得る。パケットは、ＳＴＡ２０６ＣおよびＳＴＡ２０６Ｄの通信に対する干渉が実質的にないことを確認するために、ＣＴＡフレーム、ＣＴＳまたは任意の他の信号の形態をとり得る。
【００５２】
[0065]図１０は、ＡＰ２０４Ａの送信が予定受信側（ＳＴＡ２０６Ｂ）からの肯定応答（ＡＣＫ）フレーム１０１０を要求し得る一例を示す図である。いくつかの態様では、ＳＴＡ２０６ＢからのＡＣＫ１０１０は、ＳＴＡ２０６ＣとＳＴＡ２０６Ｄとの間の通信２３０に干渉し得る。一態様では、ＡＰ２０４Ａは、ＰＰＤＵのＰＨＹ−ＢＦおよびＤａｔａ−ＢＦ部分の持続時間中にのみ送信を可能にするためにＳＴＡ２０６ＣおよびＳＴＡ２０６Ｄの通信２３０を制限し得る。別の態様では、ＡＰ２０４Ａは、ＳＴＡ２０６ＢがＡＣＫフレームを送らないように、ＡＰ２０４ＡがＳＴＡ２０６ＣとＳＴＡ２０６Ｄとの間の通信を可能にするときはいつでも、それの肯定応答ポリシーを非ＡＣＫポリシーに設定し得る。
【００５３】
[0066]いくつかの実施形態では、ＳＴＡ２０６からの送信はＡＰ２０４Ａの送信の受信に干渉し得る。たとえば、ＳＴＡ２０６ＣからＳＴＡ２０６Ｄへの送信はＳＴＡ２０６Ｂにおける受信に干渉し得る。一態様では、図１１のシーケンス図に示されているように、ＡＰ２０４Ａは、ＳＴＡ２０６Ｂに向けられたパケット４８０でそれの送信４５０Ｂを開始し得る。パケット４８０はＣＴＡまたは送信要求（ＲＴＳ：request to send）フレームの形態であり得る。ＳＴＡ２０６Ｂは、次いで、ＳＴＡ２０６Ｃ〜ＳＴＡ２０６Ｄが、ＳＴＡ２０６Ｂに向かう経路損失を推定し、したがって、それらがＳＴＡ２０６Ｂに対して引き起こすであろう干渉を推定することを可能にするであろう、ＣＴＡ応答（ＣＴＡ−Ｒ）フレームまたはＣＴＳを送ることによって、パケットに応答４８５を送り得る。ＳＴＡ２０６Ｂによって送られた応答４８５は、ＳＴＡ２０６Ｂによって使用される送信電力、送信のために使用されるアンテナ３１６、送信の持続時間、または共存のために有用な任意の送信パラメータに関する情報を含み得る。
【００５４】
[0067]別の実施形態では、いくつかのＳＴＡ２０６は、ＡＰ２０４に関連しないことがあり、ＳＴＡ２０６間のピアツーピアネットワーク（たとえばＴＤＬＳ、ＷｉＦｉ  Ｄｉｒｅｃｔ）を介して通信し得る。たとえば、ＡＰ２０４は、制御フレームまたは管理フレーム（たとえば、ＣＳＩポール、ＣＳＩ  ＦＢ、ＣＴＡなど）をピアツーピアＳＴＡ２０６と交換することができないので、ＡＰ２０４Ａは、図４、図５および図９に示したのと同様の方法でこれらのＳＴＡ２０６のためのＣＳＩを収集することが可能でないことがある。一実施形態では、図１２のシーケンス図に示されているように、ＡＰ２０４Ａは、ＳＴＡ２０６Ｃからの送信１２２５と、ＳＴＡ２０６Ｄからの送信１２３０とを検出し、チャネル相反性を仮定することによってＣＳＩを推定することが可能であり得る。ＡＰ２０４Ａは、次いで、データ１２５０をＳＴＡ２０６Ｂに送るために各アンテナ３１６によって送られたデータをプリコーディングし、ＳＴＡ２０６ＣとＳＴＡ２０６Ｄとの間の通信を可能にするためにＳＴＡ２０６Ｃおよび２０６Ｄにおける干渉１２６０をヌルするために、推定されたＣＳＩを使用する。
【００５５】
[0068]図１３は、本明細書で説明するいくつかの実施形態による、ワイヤレス通信の例示的な方法１３００のフローチャートである。本明細書では、図２Ｂ、図６、および図１０に関して上記で説明したＡＰ２０４とＳＴＡ２０６との間の通信に関して方法１３００について説明するが、方法１３００は、他の好適なデバイスおよびシステムによって実装され得ることを、当業者は諒解されよう。たとえば、方法１３００はＳＴＡ２０６または複数のＡＰ２０４によって実行され得る。本明細書では、方法１３００を特定の順序に関して説明しているが、様々な実施形態では、本明細書のブロックは異なる順序で実行されるか、または省略され得、さらなるブロックが追加され得る。たとえば、動作ブロック１３０４は、いくつかの実施形態では動作ブロック１３０６の後に送られ得る。
【００５６】
[0069] 動作ブロック１３０２において、本方法は、第２の局と通信するための第１の局のための識別された送信機会を示すメッセージを第１の局に送信することを備える。動作ブロック１３０４において、本方法は、ビームフォーミングされたワイヤレス通信を利用する第３の局への第１のワイヤレス通信信号が、第１の局と第２の局の一方または両方においてしきい値を下回る受信信号レベルを有するように、少なくとも第３の局に第１のワイヤレス通信信号を送信することをさらに備え、ここにおいて、識別された送信機会は、第１の局と第２の局との間の第２のワイヤレス通信信号の送信が、利用されるビームフォーミングされた通信と少なくとも部分的に同時である時間期間にわたって行われるかどうかに基づく。
【００５７】
[0070]いくつかの実施形態では、ワイヤレス通信のための装置が、本明細書で説明する実施形態のうちのいくつかを実行し得る。いくつかの実施形態では、本装置は、第２の局と通信するための第１の局のための識別された送信機会を示すメッセージを第１の局に送信するための手段を備える。本装置は、ビームフォーミングされたワイヤレス通信を利用する第３の局への第１のワイヤレス通信信号が、第１の局と第２の局の一方または両方においてしきい値を下回る受信信号レベルを有するように、少なくとも第３の局に第１のワイヤレス通信信号を送信するための手段をさらに備え、ここにおいて、識別された送信機会は、第１の局と第２の局との間の第２のワイヤレス通信信号の送信が、利用されるビームフォーミングされた通信と少なくとも部分的に同時である時間期間にわたって行われるかどうかに基づく。
【００５８】
[0071]本明細書における「第１」、「第２」などの名称を使用した要素への言及は、それらの要素の数量または順序を概括的に限定するものでないことを理解されたい。むしろ、これらの名称は、本明細書では、２つまたはそれ以上の要素あるいは１つの要素の複数の例を区別する便利なワイヤレスデバイスとして使用され得る。したがって、第１の要素および第２の要素への言及は、そこで２つの要素のみが採用され得ること、または第１の要素が何らかの方法で第２の要素に先行することができることを意味するものではない。また、別段に記載されていない限り、要素のセットは１つまたは複数の要素を含むことができる。
【００５９】
[0072]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００６０】
[0073]本開示で説明した実装形態への様々な修正は当業者には容易に明らかであり得、本明細書で定義した一般原理は、本開示の趣旨または範囲から逸脱することなく他の実装形態に適用され得る。したがって、本開示は、本明細書で示した実装形態に限定されるものではなく、本明細書で開示する特許請求の範囲、原理および新規の特徴に一致する、最も広い範囲を与られるべきである。「例示的」という単語は、本明細書ではもっぱら「例、事例、または例示の働きをすること」を意味するために使用される。「例示的」として本明細書で説明するいかなる実装形態も、必ずしも他の実装形態よりも好ましいまたは有利であると解釈されるべきではない。
【００６１】
[0074]また、別個の実装形態に関して本明細書で説明されたいくつかの特徴は、単一の実装形態において組合せて実装され得る。また、逆に、単一の実装形態に関して説明された様々な特徴は、複数の実装形態において別個に、あるいは任意の好適な部分組合せで実装され得る。その上、特徴は、いくつかの組合せで働くものとして上記で説明され、初めにそのように請求されることさえあるが、請求される組合せからの１つまたは複数の特徴は、場合によってはその組合せから削除され得、請求される組合せは、部分組合せ、または部分組合せの変形形態を対象とし得る。
【００６２】
[0075]上記で説明した方法の様々な動作は、（１つまたは複数の）様々なハードウェアおよび／またはソフトウェア構成要素、回路、および／または（１つまたは複数の）モジュールなど、それらの動作を実行することが可能な任意の好適な手段によって実行され得る。概して、図に示すどの動作も、その動作を実行することが可能な対応する機能的手段によって実行され得る。
【００６３】
[0076]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラまたは状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００６４】
[0077]１つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、いくつかの態様では、コンピュータ可読媒体は一時的コンピュータ可読媒体（たとえば、信号）を備え得る。上記の組合せもコンピュータ可読媒体の範囲内に含まれるべきである。
【００６５】
[0078]本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【００６６】
[0079]さらに、本明細書で説明した方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに提供するための任意の他の好適な技法が利用され得る。
【００６７】
[0080]上記は本開示の態様を対象とするが、本開示の他の態様およびさらなる態様は、それの基本的範囲から逸脱することなく考案され得、それの範囲は以下の特許請求の範囲によって決定される。
【図１】
2016535525.tif 000003
【図２Ａ】
2016535525.tif 000004
【図２Ｂ】
2016535525.tif 000005
【図３】
2016535525.tif 000006
【図４】
2016535525.tif 000007
【図５】
2016535525.tif 000008
【図６】
2016535525.tif 000009
【図７】
2016535525.tif 000010
【図８】
2016535525.tif 000011
【図９】
2016535525.tif 000012
【図１０】
2016535525.tif 000013
【図１１】
2016535525.tif 000014
【図１２】
2016535525.tif 000015
【図１３】
2016535525.tif 000016
【国際調査報告】
2016535525.tif 000017
2016535525.tif 000018
2016535525.tif 000019